(57)【特許請求の範囲】
【請求項１】
一対の水平偏向コイルと一対の垂直偏向コイルおよび一対の垂直プリ偏向コイルを具備するモノクロ用偏向ヨークであって、
前記一対の垂直プリ偏向コイルは、Ｕ字型磁性体に巻線して陰極線管電子銃側の上下に配設した上側垂直プリ偏向コイル４と下側垂直プリ偏向コイル５とからなり、
前記上側垂直プリ偏向コイル４には抵抗器Ｒ１を並列接続したダイオードＤ１を画面上側偏向時の垂直偏向電流とは逆方向、画面下側偏向時の垂直偏向電流とは順方向になるよう直列接続し、
前記下側垂直プリ偏向コイル５には抵抗器Ｒ２を並列接続したダイオードＤ２を画面下側偏向時の垂直偏向電流とは逆方向、画面上側偏向時の垂直偏向電流とは順方向になるよう直列接続し、
前記上側垂直プリ偏向コイル４とダイオードＤ１の直列回路と、
前記下側垂直プリ偏向コイル５とダイオードＤ２の直列回路を並列接続し、
前記上側垂直プリ偏向コイル４と下側垂直プリ偏向コイル５の一端４ａ，５ａ間に可変抵抗器ＶＲを接続し、
上側垂直プリ偏向コイル４と下側垂直プリ偏向コイル５に流れる垂直偏向電流を調整して一対の垂直プリ偏向コイル４，５から発生する磁界を変化させ、垂直偏向時に電子ビームが垂直方向と水平方向の収束点を一致させるよう構成したことを特徴とするモノクロ用偏向ヨーク。
【発明の詳細な説明】
【０００１】
【産業上の利用分野】
本発明は白黒ディスプレイモニタに用いて好適なモノクロ用偏向ヨークに係わり、特には、管面がフラットな陰極線管に装着してもフォーカスを簡単に補正することができるモノクロ用偏向ヨークに関するものである。
【０００２】
【従来の技術】
一般に、白黒ディスプレイモニタ等に装着されるモノクロ用偏向ヨークでは、垂直偏向コイルと補正マグネットを組合わせたり、垂直偏向コイルとは別に収差補正コイルを設け、収差補正コイルに外部回路から補正電流を供給して画面歪みやフォーカス特性を補正していた。
とこらが、近時、管面がフラットな陰極線管が用いられるようになり、従来のモノクロ用偏向ヨークをそのまま用いた場合には、図９に図示する如く、ラスターの上下がピンクッション形状になり易い難点があった。
そして、このピンクッション形状のラスター歪みを補正するには、水平偏向コイルと垂直偏向コイルにピン傾向の磁界を発生させる必要があった。
【０００３】
【発明が解決しようとする課題】
ところが、垂直偏向コイル１に図６に図示する如きピン傾向の磁界３を発生させると、垂直偏向時には電子ビーム２の左右両端部に図７に図示するような内向きの水平方向の力Ｆ１，Ｆ２が加わるようになる。
この結果、図８に図示するような垂直方向の収束ポイント７に対して水平方向の収束ポイント８がスクリーンＳより後ろ側になり、スポット形状９は水平方向に楕円状になってしまっていた。
そして、水平偏向コイルと垂直偏向コイルに単にピン傾向の磁界を発生させた場合には、画面上の歪みとフォーカス特性を同時に満足させることは困難であった。
【０００４】
そこで、本発明の目的は、簡便な手段で垂直偏向コイルから発生するピン傾向の磁界を打ち消すバレル磁界を発生でき、垂直偏向時の垂直方向と水平方向の収差ポイントを一致させて画面上の歪みやフォーカス特性が改善されたモノクロ用偏向ヨークを提供することにある。
【０００５】
【課題を解決するための手段】
本発明の観点によれば、一対の水平偏向コイルと一対の垂直偏向コイルおよび一対の垂直プリ偏向コイルを具備するモノクロ用偏向ヨークであって、
前記一対の垂直プリ偏向コイルは、Ｕ字型磁性体に巻線して陰極線管電子銃側の上下に配設した上側垂直プリ偏向コイル４と下側垂直プリ偏向コイル５とからなり、
前記上側垂直プリ偏向コイル４には抵抗器Ｒ１を並列接続したダイオードＤ１を画面上側偏向時の垂直偏向電流とは逆方向、画面下側偏向時の垂直偏向電流とは順方向になるよう直列接続し、
前記下側垂直プリ偏向コイル５には抵抗器Ｒ２を並列接続したダイオードＤ２を画面下側偏向時の垂直偏向電流とは逆方向、画面上側偏向時の垂直偏向電流とは順方向になるよう直列接続し、
前記上側垂直プリ偏向コイル４とダイオードＤ１の直列回路と、
前記下側垂直プリ偏向コイル５とダイオードＤ２の直列回路を並列接続し、
前記上側垂直プリ偏向コイル４と下側垂直プリ偏向コイル５の一端４ａ，５ａ間に可変抵抗器ＶＲを接続し、
上側垂直プリ偏向コイル４と下側垂直プリ偏向コイル５に流れる垂直偏向電流を調整して一対の垂直プリ偏向コイル４，５から発生する磁界を変化させ、垂直偏向時に電子ビームが垂直方向と水平方向の収束点を一致させるよう構成したことを特徴とするモノクロ用偏向ヨークを提供する。
【０００６】
本発明の観点によるモノクロ用偏向ヨークは、陰極線管電子銃側の上下にＵ字型磁性体に巻線してなる上側垂直プリ偏向コイル４と下側垂直プリ偏向コイル５を具備し、
上側垂直プリ偏向コイル４には抵抗器Ｒ１を並列接続したダイオードＤ１を画面上側偏向時の垂直偏向電流とは逆方向、画面下側偏向時の垂直偏向電流とは順方向になるよう直列接続し、
下側垂直プリ偏向コイル５には抵抗器Ｒ２を並列接続したダイオードＤ２を画面下側偏向時の垂直偏向電流とは逆方向、画面上側偏向時の垂直偏向電流とは順方向になるよう直列接続し、
上側垂直プリ偏向コイル４とダイオードＤ１の直列回路と、下側垂直プリ偏向コイル５とダイオードＤ２の直列回路を並列接続するとともに、上側垂直プリ偏向コイル４と下側垂直プリ偏向コイル５の一端４ａ，５ａ間に可変抵抗器ＶＲを接続し、
上側垂直プリ偏向コイル４と下側垂直プリ偏向コイル５に流れる垂直偏向電流を調整して一対の垂直プリ偏向コイル４，５から発生する磁界を変化させ、垂直偏向時の垂直方向と水平方向の収束点を一致させることが可能で、画面歪みやフォーカスが補正される。
【０００７】
【実施の形態】
以下、本発明を図に沿って説明する。なお、これにより本発明が限定されるものではない。
図１は本発明によるモノクロ用偏向ヨークに用いられる垂直プリ偏向コイルの構成を示す回路図であり、図２は本発明によるモノクロ用偏向ヨークに用いられる垂直プリ偏向コイルによる磁界を示す説明図である。図３は本発明によるモノクロ用偏向ヨークに用いられる垂直プリ偏向コイルによる磁界の電子ビームに対する作用を示す説明図である。図４は本発明のモノクロ用偏向ヨークによる電子ビームの収束ポイントを示す説明図である。
図２において、４，５はそれぞれ陰極線管の電子銃側の上下に装着される一対のＵ字型磁性体６，６に巻線される上側垂直プリ偏向コイルと下側垂直プリ偏向コイルである。
また、図１に図示する如く上側垂直プリ偏向コイル４には画面上側偏向時の垂直偏向電流とは逆方向で抵抗器Ｒ１を並列接続したダイオードＤ１が直列接続されており、下側垂直プリ偏向コイル５には画面下側偏向時の垂直偏向電流とは逆方向で抵抗器Ｒ２を並列接続したダイオードＤ２が直列接続されている。
そして、上側垂直プリ偏向コイル４と下側垂直プリ偏向コイル５の一端４ａ，５ａ間には可変抵抗器ＶＲが接続されている。
なお、この上下垂直プリ偏向コイル４，５は並列接続されるとともに、垂直偏向コイルに直列接続されている。
また、可変抵抗器ＶＲは固定抵抗器であってもよいことはいうまでもない。
【０００８】
このように構成された本発明のモノクロ用偏向ヨークによれば、例えば、電子ビーム２が図８に図示する如く収束した場合には、可変抵抗器ＶＲにより下側垂直プリ偏向コイル５に流れる垂直偏向電流を上側垂直プリ偏向コイル４に流れる垂直偏向電流より大きくして、垂直方向と水平方向の収束ポイントを合わせることができる。
即ち、図２に図示する如く、一対の垂直プリ偏向コイル４，５による発生磁界をバレル磁界にすると、電子ビーム２の両端部には、図３に図示する如く、外向きの水平方向の力Ｆ１，Ｆ２が加わり、図４に図示するように水平方向のフォーカスの収束ポイント８が垂直方向の収束ポイント７よりスクリーンＳの手前側に移動するようになり、図５に図示する如く、水平と垂直のフォーカスの収束ポイント７，８を合わせることが可能である。
ここで、抵抗器Ｒ１，Ｒ２の定数を予め調整しておくことにより、垂直方向中間の水平と垂直のフォーカスの収束ポイント７，８を一致させ、垂直方向のどのポイントにおいても水平と垂直の収束ポイントを完全に合わせることが可能である。
【０００９】
なお、電子ビーム２の収束ポイントが図８と逆の場合には、可変抵抗器ＶＲによって上側垂直プリ偏向コイル４に流れる垂直偏向電流を下側垂直プリ偏向コイル５に流れる垂直偏向電流より大きくし、垂直偏向時には垂直プリ偏向コイル４，５から発生する磁界をピン磁界とし、図７に図示する如く、電子ビーム２に内向きの水平方向の力Ｆ１，Ｆ２を加わえ、水平方向のフォーカスの収束ポイント８を図４とは逆に、垂直の収束ポイント７よりスクリーンＳの後ろ側へ移動させ、垂直偏向時の水平と垂直のフォーカスの収束ポイント７，８を一致させるよう調整可能である。
【００１０】
このように、本発明のモノクロ用偏向ヨークによれば、簡便な手段で垂直偏向時の水平方向と垂直方向のフォーカスの収束ポイントを完全に一致させることができ、安価なモノクロ用偏向ヨークの提供が可能となる。
【００１１】
【発明の効果】
本発明によれば、簡便な手段により、垂直偏向時の水平方向と垂直方向のフォーカスの収束ポイントを調整可能で、画面上の歪みやフォーカス特性が改善されたモノクロ用偏向ヨークを提供可能になり、その実用上の効果は大きなものがある。
【図面の簡単な説明】
【図１】本発明の実施形態のモノクロ用偏向ヨークに用いられる垂直プリ偏向コイルの構成を示す回路図である。
【図２】本発明によるモノクロ用偏向ヨークに用いられる垂直プリ偏向コイルによる磁界の発生を示す説明図である。
【図３】本発明によるモノクロ用偏向ヨークに用いられる垂直プリ偏向コイルによる磁界の電子ビームに対する作用を示す説明図である。
【図４】本発明によるモノクロ用偏向ヨークによる電子ビームの収束ポイントを示す説明図である。
【図５】水平方向と垂直方向の電子ビームの収束ポイントがあった状態を示す説明図である。
【図６】垂直偏向コイルによる磁界を示す説明図である。
【図７】垂直偏向コイルによる磁界の電子ビームに対する作用を示す説明図である。
【図８】垂直偏向コイルによる電子ビームの収束ポイントを示す説明図である。
【図９】従来のモノクロ用偏向ヨークによるラスターのピンクッション形状を示す説明図である。
【符号の説明】
１，１    垂直偏向コイル
２    電子ビーム
３    磁界
４    上側プリ垂直偏向コイル
４    上側プリ垂直偏向コイル一端
５    下側プリ垂直偏向コイル
５    下側プリ垂直偏向コイル一端
６，６    Ｕ字型磁性体コア
７    垂直方向の収束ポイント
８    水平方向の収束ポイント
９    スポット形状
Ｄ１，Ｄ２    ダイオード
Ｒ１，Ｒ２    抵抗器
ＶＲ    可変抵抗器
【図１】
0003580748.tif 000002
【図２】
0003580748.tif 000003
【図３】
0003580748.tif 000004
【図４】
0003580748.tif 000005
【図５】
0003580748.tif 000006
【図６】
0003580748.tif 000007
【図７】
0003580748.tif 000008
【図８】
0003580748.tif 000009
【図９】
0003580748.tif 000010